(57)【要約】【課題】本発明は、商品の包装容器を媒体とした宣伝方法を提供する。【解決手段】本発明は、商品の包装容器を媒体とした宣伝方法であり、該商品の内容物及び販売者等とは無関係な内容の宣伝情報が、該包装容器の少なくとも内面の一部に記載されることを特徴とする宣伝方法に関するものである。これにより、商品の購入者に商品の内容物及び販売者等とは無関係な内容の宣伝情報を提供することができ、宣伝情報の提供者に新たな情報提供手段を提供することができる。また、リサイクルの推進に寄与できるとともに、再利用可能な包装容器の新たな活用方法を付加でき、環境保全に考慮した宣伝方法を提供することができる。【選択図】　　　　　図１
2004075168.tif 000002
【特許請求の範囲】
【請求項１】
商品の包装容器を媒体とした宣伝方法であり、該商品の内容物及び販売者等とは無関係な内容の宣伝情報が、該包装容器の少なくとも内面の一部に記載されることを特徴とする宣伝方法。
【請求項２】
商品の包装容器を媒体とした宣伝方法であり、該包装容器の内側の全面に、被包装物との接触による汚れを防止する汚れ防止用フィルムが貼着され、該包装容器と該汚れ防止用フィルムが容易に分離でき、かつ該包装容器の内容物及び販売者等とは無関係な内容の宣伝情報が該包装容器又は該汚れ防止用フィルムの少なくとも一部に記載されることを特徴とする宣伝方法。
【請求項３】
商品の内容物及び販売者等とは無関係な内容の宣伝情報が、備長炭塗工紙において備長炭水性塗料が塗工されていない面に記載された備長炭塗工紙を、前記包装容器の内部に有してなることを特徴とする請求項１又は２記載の宣伝方法。
【請求項４】
前記包装容器が食品用包装容器であることを特徴とする請求項１乃至３のいずれか一項に記載の宣伝方法。
【請求項５】
請求項１乃至４のいずれか一項に記載の宣伝方法に用いられる包装容器。
【発明の詳細な説明】
【０００１】
【発明の属する技術分野】
本発明は、包装容器を媒体とした宣伝方法に関するものであり、さらに詳しくは、包装容器の内容物及び販売者等とは無関係な内容の宣伝情報を施してなる宣伝方法に関する。
【０００２】
【従来の技術】
従来、商品の販売において使用される包装容器には、商品の販売数や商品及び販売者等の知名度の向上などを目的として、商品に関する説明や、販売者のＰＲ、懸賞応募情報等、商品の内容物もしくは販売者に関する情報が表示されており、また、前記情報は、包装容器の表面に施されることが多い。購入者は、これら包装容器の表面に施された商品等に関する情報を得ることにより、該商品を購入するかどうかの判断をしていた。
【０００３】
すなわち、従来の包装容器に表示された情報は、商品又は販売者等に関する情報であり、商品又は販売者等以外の情報が包装容器に表示されていなかったため、購入者が商品の購入と同時に商品に関する情報以外の情報を手に入れることはできなかった。
【０００４】
また、各種情報は、新聞、雑誌、テレビ、ラジオ、インターネットのホームページ、ダイレクトメールなどを通じて提供されることが多く、情報提供者からは新たな情報提供手段が望まれていた。
【０００５】
さらに、一般消費者のごみの分別収集・再利用に対する意識が高まり、使用済みの包装容器についても、分別収集され、再利用されるようになってきている。しかし、包装容器の内側には、被包装物による汚れが付着していることがあり、再利用の際に問題となっていた。そこで、包装容器の内側の全面にフィルムを貼着させ、該フィルムを該容器から分離することにより、汚れの付着していない包装容器を再利用可能にするような包装容器について開発されている。しかし、このような包装容器について、リサイクルの推進などの環境保全の観点以外に着目して使用することはなかった。
【０００６】
【発明が解決しようとする課題】
本発明は、商品の包装容器を媒体とした宣伝方法であり、商品の購入者に、該商品の内容物及び販売者等とは無関係な内容の宣伝情報を提供することができ、また、宣伝情報の提供者に、新たな情報提供手段を提供することができる宣伝方法を提供することを目的とする。
【０００７】
また、本発明の別の目的は、リサイクルの推進に寄与できるとともに、再利用可能な包装容器に新たな活用方法を付加した宣伝方法を提供することである。
【０００８】
【課題を解決するための手段】
本発明者は、商品の包装容器を媒体とし、商品の内容物及び販売者等とは無関係な内容の宣伝情報が該包装容器の少なくとも内面の一部に記載されることにより、商品の購入者に商品の内容物及び販売者等とは無関係な内容の宣伝情報を提供することができ、宣伝情報の提供者に新たな情報提供手段を提供することができることを見出し、本発明を完成させた。
【０００９】
さらに、本発明者は、商品の包装容器を媒体とした宣伝方法であり、該包装容器の内側の全面に、被包装物との接触による汚れを防止する汚れ防止用フィルムが貼着され、該包装容器と該汚れ防止用フィルムが容易に分離でき、かつ該包装容器の内容物及び販売者等とは無関係な内容の宣伝情報が該包装容器又は該汚れ防止用フィルムの少なくとも一部に記載されることを特徴とする宣伝方法により、リサイクルの推進に寄与できるとともに、再利用可能な包装容器に新たな活用方法を付加することができることを見出し、本発明を完成させた。
【００１０】
【発明の実施の形態】
本発明の宣伝方法は、商品の包装容器を媒体とした宣伝方法であり、該商品の内容物及び販売者等とは無関係な内容の宣伝情報が、該包装容器の少なくとも内面の一部に記載されている。これにより、該商品の購入者は、該商品の内容物等以外の情報を、該商品の購入と同時に手に入れることができる。また、宣伝情報の提供者には、新たな情報提供手段が提供されるとともに、新たな顧客を獲得することができる。さらに、該商品の販売者にとっては、情報を手に入れることを期待して商品を再購入するいわゆるリピーターが増加し、顧客を確保することができ、これにより、商品の販売数量が増加し、該商品をより安く提供することができるようになるため、さらに商品の販売数量が増加し、大きな利益を得ることができる。
【００１１】
本発明における宣伝情報は包装容器１の少なくとも内面の一部に記載される。これにより、従来より包装容器の表面に記載されていた商品の内容物等の情報の量及び質を低下させることなく、新たな宣伝情報を購入者に提供することができる。本発明における宣伝情報が、包装容器の表面に記載される場合には、従来より包装容器の表面に記載されていた情報を阻害しない程度に記載されることが好ましい。本発明における宣伝情報の記載個所は、該包装容器の内面であることが好ましく、該包装容器の蓋部内面４に記載されることがより好ましい。また、被包装物は、まず蓋を開けることにより取り出し可能であるため、宣伝情報が包装容器１の内面で最も目に付きやすい個所である蓋部内面４に記載されることにより、宣伝情報が購入者に利用されやすくなり、宣伝情報の提供者の利益も増大しやすくなる。
【００１２】
本発明における宣伝情報の収集方法は特に限定されないが、商品の販売会社が募集することが好ましく、宣伝情報の募集媒体としては特に限定されないが、インターネットのホームページ、ダイレクトメール、新聞折込広告等に、宣伝情報を募集している旨の広告を掲載することにより募集することができる。また、宣伝情報の提供者からは、商品の販売者に直接依頼されても、広告仲介業者を経由して依頼されても構わない。さらに、宣伝情報の提供者から宣伝情報掲載料を徴収することが好ましく、徴収された宣伝情報掲載料を、該商品の代金に還元することにより、該商品をより安く購入者に提供することができるようになる。
【００１３】
また、前記宣伝情報を施した包装容器は、契約によりその製造個数、販売期間、販売方法等が決められることが好ましい。販売個数や販売期間を限定することにより、購入者に新鮮な宣伝情報を提供することができる。
【００１４】
前記宣伝情報の内容は、商品の内容物及び販売者等と無関係であれば特に限定されず、例えば、該商品とは無関係な商品の宣伝情報、企業の求人情報、特定の地域の情報、公共機関による情報、個人による情報等が挙げられる。
【００１５】
また、本発明の別実施形態の宣伝方法は、商品の包装容器１’を媒体とし、該包装容器１’の内側の全面に、被包装物との接触による汚れを防止する汚れ防止用フィルム８が貼着され、該包装容器１’と該汚れ防止用フィルム８が容易に分離でき、かつ該商品の内容物及び販売者等とは無関係な内容の宣伝情報が、該包装容器１’又は該汚れ防止用フィルム８に記載される宣伝方法である。これにより、包装容器１’に被包装物による汚れが付着することを防ぐことができるようになるため、包装容器を再利用に供する場合に異物の混入を防止することができ、また、洗浄工程が不要になり、再利用におけるコストを低減させることができるため、リサイクルの推進に寄与できるとともに、環境保全の観点から有用である再利用可能な包装容器に、宣伝情報の媒体という新たな活用方法を付加させることができる。
【００１６】
本発明における汚れ防止用フィルム８は、包装容器１’に接着剤を用いて貼着されることが好ましいが、フィルム貼着部９は包装容器１’において点在していることが好ましい。これにより、汚れ防止用フィルム８を包装容器１’から容易に分離させやすい。また、包装容器１’に容器解体用摘み片６を装着させることが好ましく、容器解体用摘み片６に指をかけ、容器内部に貫入させることにより、汚れ防止用フィルム８を包装容器１’から容易に分離させることができる。
【００１７】
本発明において、汚れ防止用フィルム８を貼着されてなる包装容器１’には、上記宣伝情報が包装容器１’又は汚れ防止用フィルム８に記載される。包装容器１’に宣伝情報が記載される場合には、包装容器１’の内面の少なくとも一部に記載されることが好ましく、より好ましくは蓋部内面４’であるのがよく、宣伝情報の内容を見やすくするために、汚れ防止用フィルム８が透明であることが好ましい。また、汚れ防止用フィルム８に宣伝情報が記載される場合には、包装容器の蓋部内面４’に貼着される部分である汚れ防止用フィルム８に記載されることが好ましい。これにより、宣伝情報が包装容器１’の内面で最も目に付きやすい個所である蓋部内面４’に記載されるため、宣伝情報が購入者に利用されやすくなり、宣伝情報の提供者の利益も増大しやすくなる。
【００１８】
本発明における汚れ防止用フィルムとしては特に限定されないが、例えば、ポリプロピレン系樹脂、ポリエチレン系樹脂等のポリプロピレン系樹脂、ポリスチレン系樹脂、ポリビニルアルコール系樹脂、ポリエチレンテレフタレート系樹脂等を１種又は２種以上含有してなる合成樹脂からなるフィルム、シリコーン樹脂がコーティングされた紙、生分解性フィルム等が挙げられる。本発明における汚れ防止用フィルムは、被包装物による汚れが付着している場合、焼却処分により廃棄処理がなされやすいが、包装容器全体を焼却処分するよりも、燃焼エネルギーの発生やＳＯｘ、ＮＯｘ等のガスの発生を低減させることができ、環境保全にも配慮することができる。
【００１９】
上記生分解性フィルムの素材としては特に限定されないが、例えば、トウモロコシ、ジャガイモ、サツマイモ等から作られる糖類を発酵させて得られる乳酸を重合させて得られるポリ乳酸を主原料とすることが好ましい。生分解性フィルムを用いることにより、廃棄処理に際して焼却処分を行わないでも、土壌中などで加水分解を受け、微生物や酵素により最終的には水と二酸化炭素に分解されるため、環境保全にも配慮することができる。
【００２０】
本発明の宣伝方法においては、商品の内容物及び販売者等とは無関係な宣伝情報が、備長炭水性塗料が塗工されていない面に記載された備長炭塗工紙を、包装容器の内部に有していることが好ましい。本発明における備長炭塗工紙は、脱臭、調湿、抗菌、有毒物質の吸着等の効果を有してなることが好ましく、これにより、商品の内容物及び販売者等とは無関係な宣伝情報を購入者に提供できるとともに、被包装物の品質を安定して維持することができる。
【００２１】
本発明の宣伝方法において、包装容器は食品用包装容器であることが好ましく、加工食品用包装容器であることがより好ましい。本発明において、宣伝情報は包装容器の蓋部内面又は汚れ防止用フィルムの蓋部相当部分もしくは備長炭塗工紙の中入りシートに記載されているため、包装容器を開封した際に記載された宣伝情報に気付き、該宣伝情報を見ながら食事をすることができるようになるため、購入者に宣伝情報を確実に提供することができる。また、包装容器は学生食堂用弁当包装容器であることが特に好ましく、これにより、学生に限定した情報、例えば、企業の求人情報、アルバイト情報等をより確実に提供することができる。
【００２２】
また、本発明における包装容器の素材としては特に限定されないが、例えば、ポリオレフィン系樹脂、ポリスチレン系樹脂、ポリビニルアルコール系樹脂、ポリエチレンテレフタレート系樹脂等を１種又は２種以上含有してなる合成樹脂、紙、竹皮等が挙げられ、用途に応じて変化させることが好ましい。包装容器の素材としてポリエチレンテレフタレート系樹脂や紙を用いた場合、分別収集・再利用に供することが可能であるため、リサイクルの推進に寄与することができる。
【００２３】
本発明における宣伝情報は、印刷により包装容器または汚れ防止用フィルムに記載されることが好ましい。塗料インキとしては特に限定されないが、例えば、チャコールペイント（登録商標）などの備長炭水性塗料等が挙げられる。
【００２４】
本発明において、包装容器を食品用包装容器として使用する場合、塗料インキとしては、被包装物である食品に直接触れても構わないように、抗菌効果のある塗料を含む塗料インキ、例えば抗菌効果のある塗料をチャコールペイント（登録商標）に混合させた混合塗料を使用することが好ましい。また、包装容器の素材としては再利用可能な紙を用いることが好ましく、これにより、包装容器の使用後に、再利用に供することができるようになり、リサイクルの推進に寄与することができるようになる。
【００２５】
本発明における包装容器の成形方法としては、本発明の特性を阻害しなければ特に限定されず、素材により変化させればよい。合成樹脂を素材とする場合には、従来より公知の押出し成形、射出成形、カレンダー成形等の成形方法が挙げられる。また、紙を素材とする場合には、プレス打ち抜き装置を用いて紙を打ち抜き、組み立て成形することが好ましい。
【００２６】
さらに、本発明における汚れ防止用フィルム７は、接着剤を用いて包装容器１に貼着されることが好ましく、包装容器１を成形させる前に貼着させても、包装容器１を成形させた後に貼着させてもよく、包装容器１の素材及び成形方法に応じて変化させればよい。なお、上記接着剤としては特に限定されないが、易剥離性接着剤を用いることが好ましく、例えば、エマルジョン型接着剤等が挙げられる。
【００２７】
以上より、本発明の宣伝方法により、包装容器を媒体として、商品の購入者に商品の内容物及び販売者等とは無関係な内容の宣伝情報を提供することができ、宣伝情報の提供者に新たな情報提供手段を提供することができる。また、本発明の宣伝方法により、リサイクルの推進に寄与できるとともに、再利用可能な包装容器に新たな活用方法を付加することができ、環境保全に考慮した宣伝方法を提供することができる。
【００２８】
以下に、実施例により本発明を詳細に説明するが、本発明の内容を限定するものではない。
【００２９】
【実施例】
実施例１
自社ホームページにて、Ａ大学の学生食堂弁当用包装容器に掲載する広告を募集する旨の広告を掲載したところ、Ｘ社より、１００，０００個の販売について依頼された。包装容器１の材料である厚紙バスクＦ段ボール（クラウンパッケージ社製）において、包装容器の蓋部２の表面となる部分に、商品名、商品の説明及び販売者に関する記載を、蓋部内面４にＸ社の採用情報を塗料「ノバロンＡＤ−３００」（東亜合成社製）とチャコールペイント（太平紙器社製）との混合塗料を用いて印刷した。該厚紙をプレス打ち抜き装置で、包装容器本体３と蓋部２となる形状に打ち抜き、Ａ大学の学生食堂弁当用包装容器として組み立て製作した。上記容器に弁当の内容物を詰め、Ａ大学の学生食堂にて販売した。
【００３０】
このとき、弁当１個あたりの宣伝情報掲載料を２２円とした。このうち、該包装容器の裏面の印刷にかかる費用は２円であり、残りの２０円を学食弁当の販売代金に還元させ、従来より２０円安く学生食堂用弁当を提供することができた。
【００３１】
実施例２
実施例１と同様にして宣伝情報を募集し、Ｙ社及びＺ社から１００，０００個の販売について依頼された。実施例１と同様の厚紙において、包装容器１’の蓋の表面となる部分に、商品名、商品の説明及び販売者に関する記載を、蓋部内面４’にＹ社の採用情報を実施例１と同様の混合塗料を用いて印刷した。該包装容器１’の内側の全面を覆うように、エマルジョン型接着剤「ＴＸ−１２８６」（東立化成工業社製）を用いてポリエチレン樹脂系フィルム（東洋紡績社製）を貼着させ、該フィルムが貼着され、かつ蓋部が一体成形された包装容器１’を組み立て製作した。なお、フィルムと包装容器１’との貼着個所は点在させるようにし、フィルムと包装容器１’とが分離しやすいようにした。Ｚ社の製品に関する広告情報は、備長炭塗工紙（太平紙器社製）の備長炭水性塗料が塗工されていない面に実施例１と同様の混合塗料を用いて印刷し、１０ｃｍ×１０ｃｍに裁断した。包装容器に弁当の内容物を詰め、備長炭水性塗料が塗工されている面が弁当の内容物に接するように包装容器内に中蓋として入れ、Ａ大学の学生食堂にて販売した。
【００３２】
このとき、Ｙ社及びＺ社から、蓋部内面及び備長炭塗工紙への広告掲載料としてそれぞれ１個あたり２２円ずつ徴収した。蓋部内面及び備長炭塗工紙への印刷費用がそれぞれ２円ずつかかり、残りの４０円を学生弁当の販売代金に還元させ、従来より４０円安く学生食堂用弁当を提供することができた。
【００３３】
【発明の効果】
本発明は、包装容器を媒体とし、包装容器の内容物及び販売者等とは無関係な内容の宣伝情報を該包装容器に施すことによる宣伝方法に関するものである。これにより、商品の購入者に包装容器の内容物及び販売者等とは無関係な情報を提供することができ、宣伝情報提供者に新たな情報提供手段を提供することができる。また、リサイクルの推進に寄与できるとともに、再利用可能な包装容器の新たな活用方法を提供することができ、かつ、商品を購入者に安価に提供できる宣伝方法を提供することができた。
【図面の簡単な説明】
【図１】図１は、本発明における宣伝方法の一実施形態を示すフローチャートである。
【図２】図２は、本発明における宣伝方法に用いる包装容器の一実施形態を示す図である。
【図３】図３（ａ）、（ｂ）は、本発明における宣伝方法に用いる包装容器の別の実施形態を示す図である。
【符号の説明】
１、１’　包装容器
２、２’　包装容器蓋部
３　　　　包装容器本体
４　４’　蓋部内面
５　　　　蓋部差込片
６　　　　容器解体用摘み片
７　　　　容器本体差入れ片
８　　　　汚れ防止用フィルム
９　　　　フィルム貼着部
【図１】
2004075168.tif 000003
【図２】
2004075168.tif 000004
【図３】
2004075168.tif 000005